(57)【要約】  連続して結合されている２つの段を備えるデフレグメータであって、第１段が空冷式還流凝縮器を含み、第２段が、選択された周囲状態下において空冷式（乾式）モードで、または上昇した周囲温度の周囲状態を含む他の選択された周囲状態下において湿式気化冷却モードで選択的に作動可能である、滑らかな、またはフィン付管の略水平な管束を含む、デフレグメータが提供される。噴霧ノズルが、管束の上方に設置されることができ、それによって、管束の上に水を噴霧することができる。好ましくは、流出水を収集し、過剰な出水を再利用することができるように、１つまたは複数の収集溝が管束の下に設けられている。好ましくは、管束が、互いに連通する少なくとも２つ、好適には３つのグループの管を備え、第２グループの管が、第１グループの管よりも明らかに少ない管をその中に含み、任意の第３グループの管が、第２グループの管よりも明らかに少ない管をその中に含む。
2014521048.tif 000002
【特許請求の範囲】
【請求項１】
連続して結合されている２つの段を備え、
第１段が空冷式還流凝縮器を備え、
第２段が、選択された周囲状態下において空冷式（乾式）モードで、または上昇した周囲温度の周囲状態を含む他の選択された周囲状態下において湿式気化冷却モードで選択的に作動可能である、滑らかな、またはフィン付管の略水平な管束を備えるデフレグメータ。
【請求項２】
噴霧ノズルの配置が、前記管束の上方に設置され、それによって、気化冷却モードを提供するために前記管束の上に水が噴霧される、請求項１に記載のデフレグメータ。
【請求項３】
空気媒介液滴の形態の水の損失を抑制するために、ドリフトエリミネータが前記噴霧ノズルの配置の上方に配置されている、請求項１または請求項２に記載のデフレグメータ。
【請求項４】
流出水を収集し、過剰な出水を再利用することができるように、１つまたは複数の収集溝が前記管束の下に設けられている、請求項１から請求項３のいずれか一項に記載のデフレグメータ。
【請求項５】
前記管束が、入口端部および出口端部を備える第１グループの管と、該第１グループの前記管の前記出口端部に接続する入口端部を備える第２グループの管を含む少なくとも２つのグループの管を備え、前記第２グループの前記管もまた出口端部を備え、前記第２グループの管が、前記第１グループの管よりも明らかに少ない管をその中に備える、請求項１から請求項４のいずれか一項に記載のデフレグメータ。
【請求項６】
前記第２グループの管が、前記第１グループの管数の１５％〜３０％の管数を備える、請求項５に記載のデフレグメータ。
【請求項７】
前記管束が第３グループの管を備え、前記第３グループの前記管が前記第２グループの前記管の前記出口端部に接続する入口端部を備え、前記第３グループの管が、前記第２グループの管よりも明らかに少ない管を備える、請求項５または請求項６に記載のデフレグメータ。
【請求項８】
前記第３グループの管数が、前記第２グループの管数の約３分の１から４分の１である、請求項７に記載のデフレグメータ。
【請求項９】
前記第１グループの管が前記第２グループの管の垂直上方に配置され、前記第２グループの管が任意の第３グループの管の垂直上方に配置される、請求項１から請求項８のいずれか一項に記載のデフレグメータ。
【請求項１０】
前記第１グループの管および前記第２グループの管が、前記第１グループの全ての前記管の出口端部、前記第２グループの前記管の前記入口端部、並びに任意の第３グループの管の前記出口端部に接続するマニホールドチャンバの中に仕切り壁を設けることによって接続しているそれらの端部において纏められている請求項１から請求項９のいずれか一項に記載のデフレグメータ。
【請求項１１】
前記管束が第３グループの管を含み、前記第２グループの管の前記出口端部がマニホールドチャンバに開いており、第３グループの前記管の前記入口端部が前記マニホールドチャンバに接続している、請求項１から請求項１０のいずれか一項に記載のデフレグメータ。
【請求項１２】
前記第１段がＡ字形フレーム空冷式凝縮器配置であり、前記凝縮器配置の中で、複数のフィン付管が２つの対向する側部から上方に延びて、Ａ字形構造体を生成し、前記第２段の管束が前記凝縮器配置の頂部に配置されている、請求項１から請求項１１のいずれか一項に記載のデフレグメータ。
【請求項１３】
乾式デフレグメータを備える既存のＡ字形フレーム空冷式凝縮器設備が、空冷式凝縮器（乾式）として、または前記管束の大気側の面が水浸しになっている場合、気化空冷式凝縮器として、選択的に作動可能である第２段を備えるように調整されている、請求項１２に記載のデフレグメータ。
【請求項１４】
前記空冷式還流凝縮器が、逆Ａ字形フレーム式配置で互いに向かって傾斜して下方に延びる複数のフィン付管を備え、その例では、前記管束が前記フィン付管の下方端部に配置されている、請求項１から請求項１１のいずれか一項に記載のデフレグメータ。
【発明の詳細な説明】
【技術分野】
【０００１】
本発明は、非凝縮性ガスを凝縮性ガスから分離するために、蒸気凝縮設備内で採用される型のデフレグメータに関する。そのようなデフレグメータは、様々な形態で一般的に蒸気であるガスから非凝縮性ガスを除去する働きをする二次還流凝縮器の形態であると想定される。この型のデフレグメータは、典型的に、発電所内で使用される蒸気タービンの下流、および一次凝縮器の下流にある蒸気凝縮設備内で使用される。
【背景技術】
【０００２】
稼働率の減少および冷却水の価格上昇に起因して、乾式冷却塔または空冷式蒸気凝縮器は、蒸気タービンを組み込む発電所の環境内に放熱することが増えている。不都合なことに、周囲温度がより高いと、そのような冷却システムの効率が低下し、それによって、タービンの効率が対応して低下することにつながる。特にその期間に電気エネルギーの需要および価格が高い地域では、高温期間中、そのようなタービン出力の低下は重大な収入の損失につながる可能性がある。そればかりでなく、より高い周囲温度に応じるために冷却システムの能力を高める必要がある場合があり、それによって、資本費用が上昇し、それに伴って発電費用が上昇することを意味する。
【０００３】
発電所で広く使用されている直接的Ａ字形フレーム空冷式蒸気凝縮器システムでは、蒸気タービンを出る蒸気が蒸気管寄せを介して一次凝縮器配置に供給され、一次凝縮器配置を出る残留蒸気がデフレグメータ内で凝縮され、デフレグメータは、非凝縮性ガスを分離し、典型的には大気に発散することができる。そのようなデフレグメータは乾式冷却または湿式冷却の様々な型で入手可能であるが、前述の理由から、指摘した不都合な点があるにもかかわらず、乾式冷却が好まれる場合が多い。
【０００４】
前述の方法に対する別法として、水が入口空気に噴霧される、いわゆる断熱式配置が使用されてきた。しかし、この例によって達成される改良は、必要な費用に釣り合うとは思われない。検査されたノズルは、わずか６０％から７０％の噴霧水が蒸発するに過ぎず、ドリフトエリミネータを導入しても熱交換管のフィン付表面が乾燥した状態であることを保証することができない。構造物上に蓄積する蒸発しなかった水滴が、構造物表面の腐食、ならびに望ましくないレインバックを発生させ、それによって表面および地下水が汚染される原因になる可能性がある。高圧ノズルが小さいほど、より優れた噴霧を達成することができる。実用面および費用を考慮すると、入口空気を冷却する噴霧は、大きな空冷式蒸気凝縮器で応用できないように思われる。
【発明の概要】
【発明が解決しようとする課題】
【０００５】
したがって、既存の状態に改良をもたらすことを目的とする、デフレグメータが必要である。
【課題を解決するための手段】
【０００６】
本発明によって、連続して結合されている２つの段を備えるデフレグメータが提供され、第１段が空冷式還流凝縮器を備え、第２段が、選択された周囲状態下において空冷式（乾式）モードで、または上昇した周囲温度の周囲状態を含む他の選択された周囲状態下において湿式気化冷却モードで選択的に作動可能である、滑らかな、またはフィン付管の略水平な管束を含む。
【０００７】
本発明の追加の特徴によって、管束の上方に設置される噴霧ノズルの配置が提供され、それによって、気化冷却モードを提供するために管束の上に水が噴霧され得る。空気媒介液滴の形態の水の損失を抑制するために、ドリフトエリミネータが噴霧ノズルの配置の上方に配置されている。流出水を収集し、過剰な出水の再利用を可能にするために、１つまたは複数の収集溝が管束の下に設けられている。
【０００８】
本発明のさらなる追加の特徴によって、入口端部および出口端部を備える第１の管のグループと、第１の管のグループの管の出口端部と連通する入口端部を備える第２の管のグループと、を含む少なくとも２つの管のグループを含む管束が提供される。第２の管のグループの管もまた出口端部を備え、第２の管のグループは、第１の管のグループよりも明らかに少ない管を有する。第２の管のグループが、第１の管のグループの管の数の約１５％〜３０％の管を有し、好ましくは約２０％の管を有する。管束が第３の管のグループを含み、第３の管のグループの管が第２の管のグループの管の出口端部と連通している入口端部を含み、第３の管のグループが第２の管のグループよりも明らかに少ない管を有し、典型的には、第２の管のグループの管の数の約３分の１から４分の１である。
【０００９】
本発明のさらなる追加の特徴によって、第２の管のグループの垂直上方に配置される第１の管のグループが提供され、第２の管のグループの管が任意の第３の管のグループの管の垂直上方に配置される。出口端部に向かって凝縮液排水をもたらすために、管が出口端部に向かって傾斜している。管が略水平な列に配置され、１つの列の管が、垂直に隣接する列の管から管の間の間隔の２分の１だけずらされている。マニホールドチャンバは、第１の管のグループの管および第２の管のグループの管が、第１の管のグループの全ての管の出口端部、第２の管のグループの管の入口端部、並びに任意の第３グループの管の出口端部に接続するマニホールドチャンバの中に仕切り壁を設けることによって接続しているそれらの端部において纏められている。第２の管のグループの管の出口端部がマニホールドチャンバに開いており、第３の管のグループの管の管入口端部がマニホールドチャンバと連通している。
【００１０】
管束の好ましい一配置では、複数列の平行な略水平な管が略矩形の配列に配置されている。第１の管のグループの管、第２の管のグループの管、および第３の管のグループの管のそれぞれは、平行な管の複数の略水平な列を備える。一配置では、第１の管のグループには２０列の管、第２の管のグループには４列の管、および第３の管のグループには１列の管が存在する。
【００１１】
本発明の第１の変形態様では、空冷式還流凝縮器が、一般的に公知の型のＡ字形フレーム空冷式凝縮器配置からなることができ、凝縮器配置の中で複数のフィン付管が２つの対向する側部から上方に延びて、Ａ字形フレーム構造体を生成する。そのような例では、好都合にも、管束が凝縮器配置の頂部に配置され得る。熱交換管を通過して上方へ、管束に向かう空気の流れを助けるために、１つまたは複数のファンが、典型的にはフィン付管の底部または下方領域に相当する水平な位置に配置されるであろう。
【００１２】
乾式デフレグメータを備える既存のＡ字形フレーム空冷式凝縮器設備の例では、この凝縮器設備が、上記に定義される第２段を備えるように調整されていることができ、第２段は、空冷式凝縮器（乾式）として、または管束の外気側の面が水浸しになっている場合、気化空冷式凝縮器として、選択的に作動可能である。別法として、新規な設備の例では、第１段が乾式Ａ字形フレーム構造体内で使用されるフィン付管に類似した、幾分短くされ、傾斜したフィン付管を含むことができる。
【００１３】
本発明の第２の変形態様では、空冷式還流凝縮器が、逆Ａ字形フレーム式配置で互いに向かって傾斜して、下方に延びる複数のフィン付管を備えることができ、その例では、管束がフィン付管の下方端部に配置され得る。そのような配置を用いると、水平な管束に向かって、フィン付管を通過して上方に空気を引き寄せるために、１つまたは複数のファンを下方に傾斜した管の上方端部の領域に配置することができる。
【００１４】
周囲温度が低い期間中、空冷式で十分である場合、デフレグメータの第２段は乾式モードで作動可能であることを理解されたい。しかし、より暑い期間、典型的には亜鉛メッキ鋼管からなる略水平な管束の上に出水を噴霧することができ、そのとき第２段は気化式凝縮器として作動される。過剰な出水は、典型的には管束の下の溝の中に収集され、再利用される。
【００１５】
本発明のシステムは、周囲温度が高い期間中、温度性能を向上させる可能性を有するが、一方、同様の性能向上をもたらすために水噴霧を使用する、入口空気の断熱式予冷の使用水量率よりも全体的に低い使用水量率を有する。
【００１６】
本発明による凝縮器設備の資本費用は、標準的Ａ字形フレーム空冷式デフレグメータの資本費用よりもわずかに多いに過ぎないと想定される。
【００１７】
本発明をより完全に理解するために、添付の図面を参照して以下により詳細に本発明を説明する。
【図面の簡単な説明】
【００１８】
【図１】典型的なＡ字形フレーム空冷式凝縮器およびデフレグメータ組立体の概略図である。
【図２】本発明の第１の変形態様による、複合型デフレグメータの１つの提案された実施形態の構成の概略横断面図である。
【図３】本発明の第１の変形態様による、複合型デフレグメータの１つの提案された実施形態の構成の概略側面図である。
【図４】本発明の複合型デフレグメータ内で使用するための管束の一実施形態の構成の概略側面図である。
【図５】２つの隣接する列の管の相対的配置の概略横断面図である。
【図６】蒸気タービンを出て、本発明のデフレグメータ組立体を有するＡ字形フレーム凝縮器設備に入る蒸気の流れ図である。
【図７】４つの異なる構成の凝縮器ユニットに関連する出力を示す比較グラフである。
【図８】本発明の第２の変形態様による実施形態の図２に類似する図である。
【発明を実施するための形態】
【００１９】
図１〜図５に示す本発明の実施形態では、本発明に係るデフレグメータ（１）が、一般的な通常の配置である複数の一次凝縮器（２）を備える既存のＡ字形フレーム空冷式（乾式）凝縮器設備の中に組み込まれている。
【００２０】
デフレグメータ自体は、発電所内で作動される蒸気タービンから出る使用済み蒸気の流路の末端ユニットを形成し、図２および図３により明確に図示されるように、本発明に適合する。
【００２１】
したがって、デフレグメータは、連続して結合されている２つの段を備え、第１段（３）が、乾式Ａ字形フレーム構造体内で使用される管に類似する複数の傾斜したフィン付管（４）からなる、全体的に従来の空冷式還流凝縮器構造から構成されるが、しかし、特別に、目的のために作製される場合、それらの管を幾分より短くすることができる。管を通る気流を誘導するために、傾斜したフィン付管の下方端部の領域に配置されている１つまたは複数のファン（５）を設けることができる。
【００２２】
デフレグメータの第２段（６）が、滑らかな、亜鉛メッキ管である略水平な管束（７）を含み、出水噴霧設備（８）が管束の上方に配置され、収集溝（９）の形態である水収集設備が、流出水を収集し、過剰な出水を再利用することができるように管束の下に配置されている。
【００２３】
第２段は、選択された周囲状態下において空冷式（乾式）モードで、または特に上昇した周囲温度を含む他の選択された周囲状態下において湿式気化冷却モードで選択的に作動可能である。
【００２４】
次に、特に図４および図５を参照すると、管束の特定の配置が、出水可能な管束の温度性能を向上させ、非凝縮性ガスが管から効果的に排気されることを保証するために特に良好に作動することが発見された。このことを達成するために、管束には、第１グループの管、第２グループの管および第３グループの管を含む３つの管水路が設けられている。この特定の例では、管束全体は、垂直に離隔された２５の水平な管の列を有する。
【００２５】
図４の破線枠（Ｘ）によって示される第１グループの管（１１）は、その中に２０の列を有し、最上部に配置されている。破線枠（Ｙ）によって示される第２グループの管（１２）は、その中に４列の管を有し、第１グループの管のすぐ下に配置されている。破線枠（Ｚ）によって示される第３グループの管（１３）は、その中に１列の管を有し、最下部に配置されている。
【００２６】
すべての場合において、図５に概略的に示すように、列の中の管は、管自体の略外側直径によって離隔され、１つの列の管は、隣接する列の管から管の外側直径に等しい距離だけずらされており、その結果、１つの列の２つの管の間に落下する水が、次の列の管上に落下することになる。
【００２７】
すべての管が、それらの長さに沿って水平にわずかに傾斜して、それらの出口端部が入口端部よりも幾分低くなって、第３グループの管の最終的な出口端部に向かって効果的に復水が排水されることを容易に保証する。傾斜はほんのわずかでよく、例えば、長さ２．５ｍの管で５０ｍｍ程度の傾斜であってよい。
【００２８】
管の端部は、大きなマニホールドチャンバ（１６）内に仕切り壁（１５）を設けることによって相互に連通しており、マニホールドチャンバは、第１グループのすべての管の出口端部（１７）、第２グループの管の入口端部（１８）、および第３グループの管の出口端部（１９）に連通して、第３グループの管の出口端部が区切られるようになっている。第１グループの管の管入口端部（２０）は、デフレグメータの第１段から入口ガスを受け取るように配置されている。
【００２９】
第２グループの管の出口端部（２１）と第３グループの管の入口端部（２２）との間の連通は、第１グループの管の入口端部に隣接する相対的に小さいマニホールドチャンバ（２４）によって達成される。
【００３０】
配置は、入口ガスが第１グループの管を通過して大きなマニホールドチャンバに入り、そのマニホールドチャンバで方向を逆転させて、第２グループの管の管入口端部に入る。第２グループの管の出口端部から、ガスは再び方向を逆転させて、第３グループの管の管入口端部に入る。
【００３１】
非凝縮性ガスは最終的に出口管寄せに集められ、出口管寄せからガスは排気管によって排気され得、復水は重力の影響下で排水されることになろう。
【００３２】
非凝縮性ガスを効果的に排気することによって、復水内への酸素の吸収を増加し、それによって腐食の増加を招く可能性があるデフレグメータ内の復水の過冷却を防止する。更に、過冷却によって、冬季に復水が凍結することにつながる可能性があり、それによって管が破損し、最終的には給水がボイラーに戻る前に、給水を追加的に再生加熱する必要が生じる原因になる可能性がある。したがって、過冷却は回避すべきである。
【００３３】
空気冷却が十分である低温周囲温度の期間中は、デフレグメータの第２段は乾式モードで作動され得ることを理解されたい。しかし、高温期間中は、略水平な管束の上に出水を噴霧することが可能であり、その結果、そのときデフレグメータの第２段は気化式凝縮器として作動される。
【００３４】
このシステムは、高い周囲温度の期間中の温度性能を向上させる可能性がある一方で、水噴霧を使用する、入口空気の断熱的予冷の例よりも全体的な使用水量率が低く、同時に、同等の性能の向上をもたらす。
【００３５】
ユニットのフィン付管は依然として乾燥した状態であり、それによって、腐食ならびに表面酸化の危険性を低減し、一方、管束の亜鉛メッキされた湿ったフィンのない管表面は、計画された通り定期的に清浄水で洗われて、汚損を最小にすることができる。
【００３６】
最初の比較テスト結果が図７に示され、図７ではテスト設備のメガワットの出力が、摂氏の周囲温度に対してプロットされている。文字「Ａ」で示される曲線が、従来技術の三叉路型乾式Ａ字形フレーム凝縮器設備に関し、文字「Ｂ」で示される曲線が、従来技術の四叉路型乾式Ａ字形フレーム凝縮器設備に関し、文字「Ｃ」で示される曲線が、湿式モードで作動される本発明によるデフレグメータを含む三叉路型凝縮器組立体に関し、文字「Ｄ」で示される曲線が、乾式モードで作動される本発明によるデフレグメータを含む三叉路型凝縮器組立体に関する。
【００３７】
本発明によって提供されるデフレグメータ内で気化式冷却を利用することによって、発電設備の出力が、高温期間中に著しく増加し、それによって、歳入および発電所の効率を向上させることができることに留意されたい。
【００３８】
本発明による冷却システムは、既存のＡ字形フレーム空冷式凝縮器技術を使用することができ、複合型（乾式または湿式）デフレグメータを導入することによって、より高い周囲温度の期間中、冷却性能のある程度の向上が達成される。これらの期間中、湿式モードで作動する複合型（乾式または湿式）凝縮器は、特大の空冷式凝縮器、または入口空気の断熱式冷却（噴霧冷却）を用いる空冷式凝縮器と同等の向上したタービン性能をかなり低い費用で達成することができる。同じタービン出力に対して、複合型（乾式または湿式）デフレグメータを組み込む空冷式凝縮器によって消費される水は、入口空気の断熱式冷却を用いる空冷式凝縮器よりもある程度少ない。
【００３９】
既存の設備に応用される場合、本発明の一実施において、デフレグメータを修正するだけでよく、それによって既存の空冷式蒸気凝縮器が改造されて、本発明によって作動することが可能になることを理解されたい。
【００４０】
当然ながら本発明は、標準的Ａ字形構成の配置以外の配置にも応用可能であり、図８は、ある代替配置を示す。その配置では、２つの連続したフィン付凝縮器管（３１）が、逆Ａ字形フレーム式構成で下方に互いに向かって傾斜し、管束（３２）が、凝縮器配置の長さに沿った適切な位置で、フィン付凝縮器管（３１）の下方端部の間に配置されている。噴霧ノズル（３３）の配置は管束の上方に支持され、ドリフトエリミネータ（３４）は、上部に逃げる可能性がある少なくともいくらかの任意の噴霧を捉えるために、噴霧ノズルの上方に配置されている。管束を通過して、フィン付凝縮器管を通るように気流を誘導するために１つまたは複数のファン（３５）が、この例では、好都合にもフィン付凝縮器管の上方端部の領域に配置可能である。
【００４１】
どの構造が使用される場合でも、本発明による複合型（乾式または湿式）デフレグメータの資本費用は、標準的Ａ字形フレーム空冷式デフレグメータの資本費用よりもわずかに多いに過ぎないことが想定される。
【００４２】
前述の実施形態に対して多くの変形形態が、本発明の範囲内で作製可能である。
【図１】
2014521048.tif 000003
【図２】
2014521048.tif 000004
【図３】
2014521048.tif 000005
【図４】
2014521048.tif 000006
【図５】
2014521048.tif 000007
【図６】
2014521048.tif 000008
【図７】
2014521048.tif 000009
【図８】
2014521048.tif 000010
【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
連続して結合されている２つの段を備え、
第１段が空冷式還流凝縮器を備え、
第２段が、選択された周囲状態下において空冷式（乾式）モードで、または上昇した周囲温度の周囲状態を含む他の選択された周囲状態下において湿式気化冷却モードで選択的に作動可能である、滑らかな、またはフィン付管の略水平な管束を備え、
前記空冷式還流凝縮器が、Ａ字形フレーム空冷式凝縮器配置からなり、前記凝縮器配置の中で複数のフィン付管が２つの対向する側部から延びて、前記Ａ字形構造体または逆Ａ字形構造体を生成し、前記管束が水平であり、Ａ字形フレーム配置の場合、前記凝縮器配置の頂部、中央に配置され、逆Ａ字形フレーム構造の場合、前記凝縮器配置の底部に配置され、熱交換管を通過して上方へ、前記管束に向かう空気の流れを助けるために、１つまたは複数のファンが設けられている、デフレグメータ。
【請求項２】
噴霧ノズルの配置が、前記管束の上方に設置され、それによって、気化冷却モードを提供するために前記管束の上に水が噴霧される、請求項１に記載のデフレグメータ。
【請求項３】
空気媒介液滴の形態の水の損失を抑制するために、ドリフトエリミネータが前記噴霧ノズルの配置の上方に配置されている、請求項１または請求項２に記載のデフレグメータ。
【請求項４】
流出水を収集し、過剰な出水を再利用することができるように、１つまたは複数の収集溝が前記管束の下に設けられている、請求項１から請求項３のいずれか一項に記載のデフレグメータ。
【請求項５】
前記管束が、入口端部および出口端部を備える第１グループの管と、該第１グループの前記管の前記出口端部に接続する入口端部を備える第２グループの管を含む少なくとも２つのグループの管を備え、前記第２グループの前記管もまた出口端部を備え、前記第２グループの管が、前記第１グループの管よりも明らかに少ない管をその中に備える、請求項１から請求項４のいずれか一項に記載のデフレグメータ。
【請求項６】
前記第２グループの管が、前記第１グループの管数の１５％〜３０％の管数を備える、請求項５に記載のデフレグメータ。
【請求項７】
前記管束が第３グループの管を備え、前記第３グループの前記管が前記第２グループの前記管の前記出口端部に接続する入口端部を備え、前記第３グループの管が、前記第２グループの管よりも明らかに少ない管を備える、請求項５または請求項６に記載のデフレグメータ。
【請求項８】
前記第３グループの管数が、前記第２グループの管数の約３分の１から４分の１である、請求項７に記載のデフレグメータ。
【請求項９】
前記第１グループの管が前記第２グループの管の垂直上方に配置され、前記第２グループの管が任意の第３グループの管の垂直上方に配置される、請求項５から請求項８のいずれか一項に記載のデフレグメータ。
【請求項１０】
前記第１グループの管および前記第２グループの管が、前記第１グループの全ての前記管の出口端部、前記第２グループの前記管の前記入口端部、並びに任意の第３グループの管の前記出口端部に接続するマニホールドチャンバの中に仕切り壁を設けることによって接続しているそれらの端部において纏められている請求項５から請求項９のいずれか一項に記載のデフレグメータ。
【請求項１１】
前記管束が第３グループの管を含み、前記第２グループの管の前記出口端部がマニホールドチャンバに開いており、第３グループの前記管の前記入口端部が前記マニホールドチャンバに接続している、請求項５から請求項１０のいずれか一項に記載のデフレグメータ。
【請求項１２】
乾式デフレグメータを備える既存のＡ字形フレーム空冷式凝縮器設備が、空冷式凝縮器（乾式）として、または前記管束の大気側の面が水浸しになっている場合、気化空冷式凝縮器として、選択的に作動可能である第２段を備えるように調整されている、請求項１に記載のデフレグメータ。
【請求項１３】
前記空冷式還流凝縮器が、逆Ａ字形フレーム式配置で互いに向かって傾斜して下方に延びる複数のフィン付管を備え、その例では、前記管束が前記フィン付管の下方端部に配置されている、請求項１から請求項１１のいずれか一項に記載のデフレグメータ。
【手続補正２】
【補正対象書類名】明細書
【補正対象項目名】０００６
【補正方法】変更
【補正の内容】
【０００６】
本発明によって、連続して結合されている２つの段を備えるデフレグメータが提供され、第１段が空冷式還流凝縮器を備え、第２段が、選択された周囲状態下において空冷式（乾式）モードで、または上昇した周囲温度の周囲状態を含む他の選択された周囲状態下において湿式気化冷却モードで選択的に作動可能である、滑らかな、またはフィン付管の略水平な管束を含むデフレグメータにおいて、空冷式還流凝縮器がＡ字形フレーム空冷式凝縮器配置からなり、凝縮器配置の中で複数のフィン付管が２つの対向する側部から延びて、Ａ字形構造体または逆Ａ字形構造体を生成し、管束が水平であり、Ａ字形フレーム配置の場合、凝縮器配置の頂部、中央に配置され、逆Ａ字形フレーム構造の場合、凝縮器配置の底部に配置され、熱交換管を通過して上方へ、管束に向かう空気の流れを助けるために、１つまたは複数のファンが設けられている。
【国際調査報告】
2014521048.tif 000011
2014521048.tif 000012
2014521048.tif 000013